(57)【要約】【課題】捨貼材として木材とは異なる素材を用い、かつ床鳴りの発生を抑制できる二重床構造を提供する。【解決手段】本発明の二重床構造は、基礎床上に配置した複数の支持脚の上にベースパネルを支持し、該ベースパネル上に床仕上げ材を配置した二重床構造であって、ベースパネルと床仕上げ材との間にスラグ石膏板からなる板材が配置されている。また、ベースパネルを介して敷設された床暖房パネルを有し、ベースパネルと床暖房パネルとの間には、板材が配置されている。【選択図】図１
2020076272.tif 000002
【特許請求の範囲】
【請求項１】
基礎床上に配置した複数の支持脚の上にベースパネルを支持し、該ベースパネル上に床仕上げ材を配置した二重床構造であって、
前記ベースパネルと前記床仕上げ材との間にスラグ石膏板からなる板材が配置されていることを特徴とする二重床構造。
【請求項２】
前記ベースパネルを介して敷設された床暖房パネルを有し、前記ベースパネルと前記床暖房パネルとの間には、前記板材が配置されていることを特徴とする請求項１に記載の二重床構造。
【請求項３】
前記床暖房パネルの周縁の少なくとも一部には、ボーダー部材が設けられ、前記床暖房パネル及び前記ボーダー部材の上に前記床仕上げ材が設けられており、前記ボーダー部材は、前記スラグ石膏板により構成されていることを特徴とする請求項２に記載の二重床構造。
【発明の詳細な説明】
【技術分野】
【０００１】
本発明はコンクリートスラブ等の基礎床上に支持脚を介して床パネルを支持した二重床構造に関する。
【背景技術】
【０００２】
従来、集合住宅やオフィスビルなどの多くの建造物に二重床構造のものが採用されてきており、コンクリートスラブ等の基礎床と床パネルとの間に空間部を形成して、遮音性を高めるとともに、その空間部に設備配管等を設けることができるようになっている。このような二重床構造として、例えば、特許文献１に記載の支持脚を利用した構造のものが知られている。この二重床は、基礎床上に支持脚を並べて、その上に床パネルを配置することにより、これら基礎床と床パネルとの間に空間部を形成したものである。このような二重床構造のものは、空間部によって床パネルと基礎床とを離間させることにより遮音性を確保しているとともに、床パネルを支持している支持脚の防振ゴムにゴム等の弾性部材を使用して、床面上に物体を落下させても、その衝撃音が支持脚を経由して基礎床に伝達しにくくする。
【０００３】
また、特許文献１に記載の二重床構造では、床パネル（ベースパネル）とフローリング材（床仕上げ材）との間に、床仕上げ材の捨貼材として、一般的に用いられているラワン合板や針葉樹合板の代わりにパーティクルボードを配置している。このパーティクルボードは、厚み、剛性、密度、及び価格的要素から捨貼材として使用されている。この二重床構造は、人間の体重を防振ゴムで床を沈めながら（床板をたわませながら）支持することで遮音性能を確保しており、このような二重床構造は、乾式遮音二重床と呼ばれている。
【０００４】
一方、パーティクルボードに対し乾燥をもたらす温水式床暖房パネルの使用や、乾燥伸縮率がパーティクルボードよりも大きい無垢フローリングを乾式遮音二重床に使用する場合及び水回りの床に使用されるクッションフロアシートと呼ばれる軟質の仕上げ材の捨貼材として使用する場合には、乾燥伸縮率が小さいラワン合板や針葉樹合板といった捨貼材を床パネル（ベースパネル）上に釘やステープル釘、又はコーススレッド（ビス）などで張り付け、その上に温水式床暖房パネルや、無垢フローリング、クッションフロアシート等を施工するのが一般的になっている。
【先行技術文献】
【特許文献】
【０００５】
【特許文献１】特開２００８−６９５４５号公報
【発明の概要】
【発明が解決しようとする課題】
【０００６】
しかしながら、昨今の森林の違法伐採問題や森林面積減少に伴う木材の枯渇化といった問題は、国際的な様々な保護活動に関わらず、解消していないため、ラワン合板や針葉樹合板等の安定供給がなされず、調達価格の高騰が顕著となっている。このため、パーティクルボードやラワン合板及び針葉樹合板の代替材として、安価な石膏ボードやガラス繊維入り石膏ボード等を乾式遮音二重床の捨貼材として用いることも考えられるが、このような石膏ボード等の素材を捨貼材として用いると、「床鳴り」が発生する。
【０００７】
本発明は、このような事情に鑑みてなされたもので、捨貼材として木材とは異なる素材を用い、かつ、床鳴りの発生を抑制できる二重床構造の提供を目的とする。
【課題を解決するための手段】
【０００８】
本発明者らは、捨貼材として使用される各種材料を鋭意研究した結果、一般的には建物の内装や外装（耐火壁）、特に軒天材として用いられる繊維強化セメント板（ＪＩＳ  Ａ５４３０）のうち、古紙等のパルプ繊維を用いて高炉水砕スラグと回収副生石膏とを固めたスラグ石膏板に「合板以下の乾燥伸縮率」、「床鳴りの抑制」、「遮音性の向上」、「不燃性の向上」、「表面が平滑」といった特性を見出し、集合住宅、戸建住宅、幼稚園、学校、老人介護施設及び体育館等に用いられる二重床構造における捨貼材としてスラグ石膏板を用いることを見出した。
【０００９】
すなわち、本発明の二重床構造は、基礎床上に配置した複数の支持脚の上にベースパネルを支持し、該ベースパネル上に床仕上げ材を配置した二重床構造であって、前記ベースパネルと前記床仕上げ材との間にスラグ石膏板からなる板材が配置されている。なお、ベースパネルは、パーティクルボードにより構成されているとよい。
【００１０】
本発明では、ベースパネルと床仕上げ材との間に配置されるスラグ石膏板が無機質素材である石膏スラグからなり、乾燥伸縮率がラワン合板や針葉樹合板等の合板以下であるため、乾燥が進み含水率が低下した場合、板材が複数並んで配列されているそれぞれの板材間に隙間が形成されることや、ベースパネル及び床仕上げ材のそれぞれとの間に隙間が生じることを抑制でき、これらが擦れ合うことにより生じる床鳴りを抑制できる。また、スラグ石膏板が上記合板よりも剛性が高いため、板材が撓むことを抑制でき、板材が撓む際に生じる床鳴りを抑制できる。さらに、スラグ石膏板にはパルプ繊維が含まれているため、例えば、スラグ石膏板が釘などにより固定された際に生じる亀裂の発生が抑制されることによっても、上記床鳴りを抑制できる。また、スラグ石膏板の密度は、上記合板に比べて大きいので、遮音性を向上でき、石膏スラグが無機質素材であるため、不燃性も向上する。
【００１１】
本発明の二重床構造の好ましい態様としては、前記ベースパネルを介して敷設された床暖房パネルを有し、前記ベースパネルと前記床暖房パネルとの間には、前記板材が配置されているとよい。
【００１２】
上記態様では、床暖房パネルとベースパネルとの間にスラグ石膏板が設けられているので、床暖房パネルが配置された領域での床鳴りを確実に抑制できる。
【００１３】
本発明の二重床構造の好ましい態様としては、前記床暖房パネルの周縁の少なくとも一部には、ボーダー部材が設けられ、前記床暖房パネル及び前記ボーダー部材の上に前記床仕上げ材が設けられており、前記ボーダー部材は、前記スラグ石膏板により構成されているとよい。
【００１４】
すなわち、床暖房パネルの周縁の少なくとも一部の床仕上げ材の捨貼材となるボーダー部材としてスラグ石膏板を設けてあるので、床仕上げ材を安定して支持することができる。また、ボーダー部材が配置された領域での床鳴りも抑制できる。
【発明の効果】
【００１５】
以上のように構成された本発明の二重床構造によれば、床鳴りの発生を抑制できる。
【図面の簡単な説明】
【００１６】
【図１】本発明に係る二重床構造の第１実施形態を示す縦断面図である。
【図２】図１の二重床構造の平面図である。
【図３】本発明に係る二重床構造の第２実施形態を示す縦断面図である。
【図４】図３の二重床構造の平面図である。
【図５】上記第２実施形態の二重床構造の第１変形例を示す縦断面図である。
【図６】上記第２実施形態の二重床構造の第２変形例を示す縦断面図である。
【発明を実施するための形態】
【００１７】
以下、本発明の各実施形態について図面を用いて説明する。
【００１８】
［第１実施形態］
これらの図において符号１０で示すものは二重構造の下部を構成する基礎床となるコンクリートスラブであって、そのコンクリートスラブ１０上には、支持脚となる防振アジャスター１１が設けられている。防振アジャスター１１は、図１に示すように、コンクリートスラブ１０上に設置された防振ゴム１２と、防振ゴム１２に螺合されてかつ垂直に支持された支持ボルト１３と、支持ボルト１３の上部に螺合されて支持ボルト１３に沿って上下方向に移動自在なねじ部材１４と、このねじ部材１４の外周部に設けられたフランジ１４ａ上に支持され、ねじ部材１４が嵌合状態に固定された矩形ブロック状のパネル受け台座１５とから構成されている。このパネル受け台座１５の上面には仮止め用の両面テープ（図示略）が設けられている。
【００１９】
そして、このように構成された防振アジャスター１１は、図２に示すように四方を壁１７によって区画された部屋の中に縦横に一定の間隔をおいて複数並べられるようにして立設されており、これら防振アジャスター１１のパネル受け台座１５の上に、パーティクルボードにより構成されるベースパネル２１等が載置状態に固定される。その際に、ねじ部材１４を支持ボルト１３に沿って上下に移動させることにより、各防振アジャスター１１においてねじ部材１４に固定されたパネル受け台座１５の高さが調整され、これによりパネル受け台座１５上のベースパネル２１等とコンクリートスラブ１０との間隔が調整され、ベースパネル２１等の水平度が調整されるようになっている。
【００２０】
防振アジャスター１１の上には、図１及び図２に示すように、ベースパネル２１が設けられ、このベースパネル２１の上に捨貼材２３が設けられている。この捨貼材２３の上には、床仕上げ材２４が設けられている。換言すると、捨貼材２３は、ベースパネル２１と床仕上げ材２４との間に配置されている。このようなベースパネル２１は、部屋の中央の領域では防振アジャスター１１のパネル受け台座１５により支持され、部屋の外縁近傍では、防振アジャスター１１のパネル受け台座１５に代えて設けられた棒状のＬＶＬ材（単板積層材）により支持される。つまり、部屋の外縁近傍では、防振アジャスター１１のＬＶＬ材上にベースパネル２１が支持され、そのベースパネル２１の上に捨貼材２３を介して床仕上げ材２４が敷設されている。
【００２１】
また、ベースパネル２１は、防振アジャスター１１のパネル受け台座１５の上に直接載せられるものであり、この防振アジャスター１１の支持ボルト１３の上端部はパネル受け台座１５から突出する場合がある。その場合、通常は、各ベースパネル２１のパネル同士の隙間（目地）に防振アジャスター１１の支持ボルト１３の上端部が配置されるが、パネルの中央部分に防振アジャスター１１が配置される場合は、該防振アジャスター１１の支持ボルト１３の上端部を挿入する貫通孔３１が形成される。
【００２２】
捨貼材２３は、本発明の板材に相当し、スラグ石膏板により構成されている。このようなスラグ石膏板は、スラグと、石膏と、パルプ繊維や軽量骨材等とからなる。これらのうちスラグ石膏板に用いられるスラグは、溶融スラグに多量の圧力水を噴射することにより急冷した砂状の水砕鉱滓を微粉砕したものである。また、スラグ石膏板に用いられる石膏は、主に火力発電所から排出される排煙脱硫石膏等を二水石膏（ＣａＳＯ４・２Ｈ２Ｏ）の状態で利用している。これら微粉砕した水砕鉱滓及び二水石膏に新聞古紙を主体としたパルプ繊維や軽量骨材等が混合され、丸網抄造機による抄造法により成形することによりスラグ石膏板が生成される。このようなスラグ石膏板は、一般的には、建物の内装や外装（耐火壁）、特に軒天材として用いられる。
【００２３】
このようなスラグ石膏板は、かさ密度が０．９０ｇ／ｃｍ３以上１．２０ｇ／ｃｍ３未満とされる。また、スラグ石膏板の厚さは、例えば５ｍｍ以上２０ｍｍ以下であることが好ましく、より好ましくは、６ｍｍ以上１２ｍｍ以下であるとよい。さらに、スラグ石膏板の曲げ強さは、スラグ石膏板の厚さが６ｍｍの場合に１０．５Ｎ／ｍｍ2以上、厚さが８ｍｍの場合に、９．５Ｎ／ｍｍ2以上、厚さが１２ｍｍの場合に８．５Ｎ／ｍｍ2以上とされる。すなわち、スラグ石膏板の曲げ強さは、８．５Ｎ／ｍｍ2以上であることが好ましい。
【００２４】
また、上述したようにベースパネル２１の材料としては、パーティクルボードが使用されている。このパーティクルボードは、廃材などから得られる木片チップを接着剤で固めたものである。このようなパーティクルボードは、かさ密度が０．４０ｇ／ｃｍ３以上０．９０ｇ／ｃｍ３以下、曲げ強さが１８Ｎ／ｍｍ2以上、吸水厚さ膨張率が６．９％以上８％以下とされる。なお、乾燥伸縮率は一般的に低い方がよいとされるが、材質上、ラワン合板や針葉樹合板等の合板の乾燥伸縮率よりも若干大きく設定されている。これらのうち、可さ密度、曲げ強さについては、日本工業規格ＪＩＳ  Ａ  ５９０８に基づいて測定したものである。
【００２５】
また、吸水厚さ膨張率は、予め試験片の中央部の厚さを０．０５ｍｍの精度までダイヤルゲージ又はマイクロメーターで測定し、これを２０±１℃の水中に水面下約３ｃｍに水平に置き、２４時間浸した後、取り出して水分をふき取り厚さを測定し、これらの測定結果から次の式によって算出される。なお、ｔ１は吸水前の厚さ（ｍｍ）であり、ｔ２は吸水後の厚さ（ｍｍ）である。
（式１）…吸水厚さ膨張率（％）＝（ｔ２−ｔ１）／ｔ１×１００
また、乾燥伸縮率は、含水率ｘ％時の試験片の長さＸｍｍが、含水率ｙ％時にＹｍｍに変化した場合、次の式により算出される。
（式２）…乾燥伸縮率（ｍｍ／％）＝（Ｙ−Ｘ）／（ｙ−ｘ）
【００２６】
また、床仕上げ材２４は、木質フローリングにより構成され、図１及び２に示すように、複数の木質フローリング材を並べた状態で捨貼材２３の上に設けられている。なお、床仕上げ材２４の構成は、複数の木質フローリング材により構成されていることとしたが、これに限らず、例えば、１枚のクッションフロアシート等により構成されてもよい。
【００２７】
一般的に、二重床構造は、最表面に位置する床仕上げ材２４の厚さが１２ｍｍ、ベースパネル２１の厚さが、２０ｍｍであるので、ベースパネル２１と床仕上げ材２４との間に厚さ６ｍｍ又は８ｍｍの捨貼材２３が加わることで、二重床構造の剛性が増すことは明らかである。また、床仕上げ材２４がベースパネル２１（パーティクルボード）よりも乾燥伸縮率が低い捨貼材２３（スラグ石膏板）上に施工されることで、床仕上げ材２４間の隙間の拡大が抑制される。
なお、図１及び図２に示す符号３５は、壁１７の床面から所定の高さ範囲に設けられた巾木を示している。
【００２８】
以上のように構成された二重床構造では、ベースパネル２１と床仕上げ材２４との間に配置される捨貼材２３（スラグ石膏板）が無機質素材である石膏スラグからなり、乾燥伸縮率がラワン合板や針葉樹合板等の合板以下であるため、乾燥が進み含水率が低下した場合、複数並んで配列されているそれぞれの捨貼材２３間に隙間が形成されることや、ベースパネル２１及び床仕上げ材２４のそれぞれとの間に隙間が生じることを抑制でき、これらが擦れ合うことにより生じる床鳴りを抑制できる。また、スラグ石膏板からなる捨貼材２３が上記合板よりも剛性が高いため、捨貼材２３が撓むことを抑制でき、捨貼材２３が撓む際に生じる床鳴りを抑制できる。さらに、スラグ石膏板にはパルプ繊維が含まれているため、例えば、捨貼材２３が釘などにより固定された際に生じる亀裂の発生が抑制されることによっても、上記床鳴りを抑制できる。また、スラグ石膏板のかさ密度は、上記合板に比べて大きいので、遮音性を向上でき、石膏スラグが無機質素材であるため、不燃性も向上する。
【００２９】
［第２実施形態］
以下、本発明の第２実施形態について、図面を用いて説明する。図３は、第２実施形態に係る二重床構造を示す断面図であり、図４は、第２実施形態に係る二重床構造を示す平面図である。なお、以下の説明では、第１実施形態と同一又は略同一の構成については、同一番号を付し、説明を省略又は簡略化する。
【００３０】
本実施形態の二重床構造では、図３及び図４に示す部屋の中の一部分（部屋の中央の領域）に床暖房パネル２２が敷設されている。この床暖房パネル２２の敷設領域においては、防振アジャスター１１の上にベースパネル２１が設けられ、このベースパネル２１の上に捨貼材２３を介して床暖房パネル２２が設けられ、この床暖房パネル２２の上に床仕上げ材２４が設けられている。
【００３１】
ここで、床暖房パネル２２は、規格サイズが予め設定されているため、設置される床面積の７０％〜８０％を占める床暖房パネル２２が選択されて、配置される。このため、図３及び図４に示すように、ベースパネル２１は、その上に設けられる床暖房パネル２２よりも大きい面積となり、床暖房パネル２２の周囲に張り出した状態となる。そして、図３に示すように、この床暖房パネル２２から張り出している部分の捨貼材２３と床仕上げ材２４との間で、床暖房パネル２２と部屋の壁１７との間を埋めるようにボーダー部材２５が設けられている。
【００３２】
すなわち、防振アジャスター１１によってベースパネル２１が支持され、そのベースパネル２１の上に、捨貼材２３が設けられ、その上に床暖房パネル２２と、その周囲のボーダー部材２５とが敷設され、この床暖房パネル２２及びボーダー部材２５の上に床仕上げ材２４が設けられる。
【００３３】
また、ボーダー部材２５は、捨貼材２３と同様にスラグ石膏板により構成されている。このボーダー部材２５を構成するスラグ石膏板と捨貼材２３を構成するスラグ石膏板は、同じ組成のスラグ石膏板が用いられている。なお、ボーダー部材２５及び捨貼材２３を構成するスラグ石膏板は、同じ組成のものであることとしたが、これに限らず、異なる組成のものであってもよい。
【００３４】
そして、床暖房パネル２２の厚さが例えば１２ｍｍ、その下の捨貼材２３（スラグ石膏板）の厚さが８ｍｍであり、ボーダー部材２５の厚さは床暖房パネル２２と同じ１２ｍｍに設定されている。したがって、ボーダー部材２５により、床暖房パネル２２の周囲が厚さ方向に隙間なく埋められており、床暖房パネル２２の上面とボーダー部材２５の上面とは面一に形成されている。そして、これら面一に敷設された床暖房パネル２２及びボーダー部材２５の上に床仕上げ材２４が敷設されている。
【００３５】
以上のように構成された二重床構造では、床暖房パネル２２の周縁の床仕上げ材２４の下地材となるボーダー部材２５としてスラグ石膏板を設けてあるので、床仕上げ材２４を安定して支持することができる。また、床暖房パネル２２及びボーダー部材２５とベースパネル２１との間にも捨貼材２３としてスラグ石膏板が設けられているので、捨貼材２３の伸縮を抑制でき、その結果、床暖房パネル２２が配置された領域及びボーダー部材２５が配置された領域のいずれの領域においても床鳴りを抑制できる。また、ボーダー部材２５が配置された領域での床鳴りも抑制できる。
【００３６】
なお、本発明は上記実施形態に限定されるものではなく、本発明の趣旨を逸脱しない範囲において種々の変更を加えることが可能である。例えば、上記第２実施形態では、捨貼材２３は、床暖房パネル２２及びボーダー部材２５のそれぞれと、ベースパネル２１との間に配置されていることとしたが、これに限らない。
【００３７】
図５は、第２実施形態の第１変形例に係る二重床構造を示す断面図である。本変形例の二重床構造では、図５に示すように、床暖房パネル２２の敷設領域においては、防振アジャスター１１の上にベースパネル２１が設けられ、このベースパネル２１の上に本発明の板材に相当する捨貼材２３Ａを介して床暖房パネル２２が設けられ、この床暖房パネル２２の上に床仕上げ材２４が設けられている。この場合、捨貼材２３Ａ及び床暖房パネル２２は同じ面積に設定される。そして、図５に示すように、この床暖房パネル２２から張り出している部分のベースパネル２１と床仕上げ材２４との間で、床暖房パネル２２と部屋の壁１７との間を埋めるようにボーダー部材２５Ａが設けられている。このボーダー部材２５Ａは、パーティクルボードにより構成されている。
【００３８】
また、床暖房パネル２２の厚さが例えば１２ｍｍ、その下の捨貼材２３Ａ（スラグ石膏板）の厚さが８ｍｍであり、ボーダー部材２５の厚さが２０ｍｍに設定されている。したがって、ボーダー部材２５により、床暖房パネル２２の周囲が厚さ方向に隙間なく埋められており、床暖房パネル２２の上面とボーダー部材２５の上面とは面一に形成されている。そして、これら面一に敷設された床暖房パネル２２及びボーダー部材２５の上に床仕上げ材２４が敷設されている。  
【００３９】
図６は、第２実施形態の第２変形例に係る二重床構造を示す断面図である。この二重床構造では、床暖房パネル２２の敷設領域は、上記第１変形例と同様の構成である。また、ベースパネル２１Ａは、端部には配置されておらず、該ベースパネル２１Ａが配置されていない領域においては、図６に示すように、パーティクルボードにより構成されるボーダー部材２５Ａを直接防振アジャスター１１により支持している。このため、図６で最も左側に配置され、ボーダー部材２５Ａを支持している防振アジャスター１１は、部屋の中央の領域の下方位置でベースパネル２１Ａを支持している防振アジャスター１１よりも高いものが使用されている。
上記各変形例においても、少なくとも床暖房パネル２２の敷設領域にスラグ石膏板からなる捨貼材２３Ａが設けられていることから、捨貼材２３Ａの伸縮が小さいので、当該領域における床鳴りを抑制できる。
【００４０】
上記第１実施形態では、ベースパネル２１と床仕上げ材２４との間にスラグ石膏板からなる捨貼材２３のみを配置する構成としたが、これに限らない。例えば、ベースパネル２１上に遮音シートを配置し、該遮音シートと床仕上げ材２４との間に捨貼材２３を配置する構成としてもよい。すなわち、ベースパネル２１と床仕上げ材２４との間にスラグ石膏板からなる捨貼材２３が配置されていれば、上記遮音シート等の他の部材が配置されていてもよい。
【００４１】
上記各実施形態では防振性能を有する防振アジャスター１１を支持脚として使用しているが、これに限定されず、通常の支持脚を使用してもよい。
【符号の説明】
【００４２】
１０  コンクリートスラブ（基礎床）
１１  防振アジャスター（支持脚）
１２  防振ゴム
１３  支持ボルト
１４  ねじ部材
１５  パネル受け台座
１７  壁
２１  ベースパネル
２２  床暖房パネル
２３  捨貼材（板材）
２３Ａ  捨貼材（板材）
２４  床仕上げ材
２５  ２５Ａ  ボーダー部材（板材）
３１  貫通孔
３５  巾木
【図１】
2020076272.tif 000003
【図２】
2020076272.tif 000004
【図３】
2020076272.tif 000005
【図４】
2020076272.tif 000006
【図５】
2020076272.tif 000007
【図６】
2020076272.tif 000008